(57)【要約】【課題】湯切り時の利便性を向上できる湯切り孔付き蓋材を提供する。【解決手段】剥離可能に積層される上層部３０及び下層部４０を備え、下面から下層部４０を貫通するハーフカットの切断線２５により湯切り孔２４が形成される湯切り孔付き蓋材２０において、上層部３０が紙層３４と、ドライラミネート接着剤から成る第１接着層３５を介して紙層３４に接着される樹脂フィルムにより形成されたコート層３６と、コート層３６上に配される剥離ニスにより形成される剥離層３８とを有し、下層部４０が熱接着性樹脂層４４を有した透明フィルムにより形成され、ドライラミネート接着剤から成る第２接着層４１を介して剥離層３８上に接着される。【選択図】図４
2019182492.tif 000002
【特許請求の範囲】
【請求項１】
剥離可能に積層される上層部及び下層部を備え、下面から前記下層部を貫通するハーフカットの切断線により湯切り孔が形成される湯切り孔付き蓋材において、前記上層部が紙層と、ドライラミネート接着剤から成る第１接着層を介して前記紙層に接着される樹脂フィルムにより形成されたコート層と、前記コート層上に配される剥離ニスにより形成される剥離層とを有し、前記下層部が熱接着性樹脂層を有した透明フィルムにより形成され、ドライラミネート接着剤から成る第２接着層を介して前記剥離層上に接着されることを特徴とする湯切り孔付き蓋材。
【請求項２】
前記下層部が前記熱接着性樹脂層の上面に延伸フィルムにより形成された中間層を積層して形成され、ドライラミネート接着剤から成る第３接着層により前記熱接着性樹脂層と前記中間層とを接着したことを特徴とする請求項１〜請求項３のいずれかに記載の湯切り孔付き蓋材。
【請求項３】
前記切断線が前記コート層を貫通し、前記切断線の上端が前記紙層内に配されることを特徴とする請求項１または請求項２に記載の湯切り孔付き蓋材。
【請求項４】
前記湯切り孔内に前記剥離ニスの非形成領域を設けたことを特徴とする請求項１〜請求項３のいずれかに記載の湯切り孔付き蓋材。
【請求項５】
剥離可能に積層される上層部及び下層部を備え、下面から前記下層部を貫通するハーフカットの切断線により湯切り孔が形成される湯切り孔付き蓋材の製造方法において、
紙製の紙層と樹脂フィルムのコート層とをドライラミネート接着剤によりドライラミネートするコート層接着工程と、
前記紙層上にインキにより印刷層を印刷するとともに前記コート層上に剥離ニスにより剥離層を印刷する印刷工程と、
透明フィルムから成る前記下層部と前記剥離層とをドライラミネート接着剤によりドライラミネートする下層部接着工程と、
前記下層部を下面上から切断して前記切断線を形成する切断工程と、
を備えたことを特徴とする湯切り孔付き蓋材の製造方法。
【請求項６】
前記印刷工程時に前記剥離ニスの非形成領域を前記湯切り孔内に設けたことを特徴とする請求項５に記載の湯切り孔付き蓋材の製造方法。
【発明の詳細な説明】
【技術分野】
【０００１】
本発明は、即席焼きそば等を収納する容器本体を封止する湯切り孔付き蓋材及びその製造方法に関する。
【背景技術】
【０００２】
即席焼きそば、即席スパゲティ等の内容物を包装する包装容器は特許文献１に開示される。この包装容器は樹脂成形品の容器本体と、容器本体を封止する蓋材とを備えている。容器本体は上面に開口部を有した有底筒状に形成され、開口部の周囲にフランジが形成される。
【０００３】
蓋材は外方に突出して対向配置される開封タブ及び湯切りタブを有し、上層部及び下層部を剥離可能に積層される。蓋材の下面には下層部を貫通する閉曲線のハーフカットにより湯切り孔が形成される。
【０００４】
蓋材の上層部は紙層及び紙層の下面に配される剥離層を有している。剥離層は紙層の湯切り孔を除く領域に目止めニスを介して剥離ニスを塗布して形成される。
【０００５】
蓋材の下層部はアルミニウム箔層の下面に易剥離性の熱接着性樹脂層が押出し樹脂により形成される。熱接着性樹脂層により蓋材が容器本体のフランジに熱接着される。アルミニウム箔層の上面にはドライラミネート接着剤の接着剤層により樹脂フィルムから成る第１樹脂層がドライラミネートされる。第１樹脂層と上層部の剥離層とは押出し樹脂から成る第２樹脂層により接着される。この時、湯切り孔内の押出し樹脂は紙層と第１樹脂層とを接着する。
【０００６】
上記構成の包装容器において、開封タブを引いてフランジ上から蓋材の一部が剥離され、注湯口が開口する。注湯口から容器本体内に熱湯が注湯されると蓋材が閉じられ、内容物の蒸らし調理が行われる。
【０００７】
所定時間が経過して調理が完了すると、湯切りタブを引いて剥離層と第１樹脂層との間で蓋材の上層部の一部が剥離される。この時、湯切り孔内の下層部が上層部に接着されているため複数の湯切り孔が開口し、湯切り孔を介して湯切りが行われる。その後、蓋材の全体をフランジから剥離して容器本体内の内容物を喫食することができる。
【先行技術文献】
【特許文献】
【０００８】
【特許文献１】特開２０１６−５００３５号公報（第４頁〜第１１頁、第４図）
【発明の概要】
【発明が解決しようとする課題】
【０００９】
しかしながら、上記従来の蓋材によると、下層部に設けられるアルミニウム箔層によって湯切り時に残湯量を視認できない。このため、使用者が湯切りの終了までの待ち時間を把握できず、湯切り時の利便性が悪い問題があった。
【００１０】
本発明は、湯切り時の利便性を向上できる湯切り孔付き蓋材を提供することを目的とする。
【課題を解決するための手段】
【００１１】
上記目的を達成するために本発明は、剥離可能に積層される上層部及び下層部を備え、下面から前記下層部を貫通するハーフカットの切断線により湯切り孔が形成される湯切り孔付き蓋材において、前記上層部が紙層と、ドライラミネート接着剤から成る第１接着層を介して前記紙層に接着される樹脂フィルムにより形成されたコート層と、前記コート層上に配される剥離ニスにより形成される剥離層とを有し、前記下層部が熱接着性樹脂層を有した透明フィルムにより形成され、ドライラミネート接着剤から成る第２接着層を介して前記剥離層上に接着されることを特徴としている。
【００１２】
この構成によると、湯切り孔付き蓋材は熱接着性樹脂層により容器本体に熱接着され、一部を容器本体から引き剥がされると注湯口が開口する。注湯口から注湯して所定時間が経過すると、湯切り孔付き蓋材の一部の上層部が下層部から引き剥がされる。切断線の内部の下層部は上層部とともに剥がされ、下層部上に湯切り孔が開口する。使用者は透明フィルムにより形成される下層部を介して残湯量を視認しながら湯切り孔から湯切りを行うことができる。
【００１３】
また本発明は上記構成の湯切り孔付き蓋材において、前記下層部が前記熱接着性樹脂層の上面に延伸フィルムにより形成された中間層を積層して形成され、ドライラミネート接着剤から成る第３接着層により前記熱接着性樹脂層と前記中間層とを接着したことを特徴としている。
【００１４】
また本発明は上記構成の湯切り孔付き蓋材において、前記切断線が前記コート層を貫通し、前記切断線の上端が前記紙層内に配されることを特徴としている。
【００１５】
また本発明は上記構成の湯切り孔付き蓋材において、前記湯切り孔内に前記剥離ニスの非形成領域を設けたことを特徴としている。
【００１６】
また本発明は、剥離可能に積層される上層部及び下層部を備え、下面から前記下層部を貫通するハーフカットの切断線により湯切り孔が形成される湯切り孔付き蓋材の製造方法において、
紙製の紙層と樹脂フィルムのコート層とをドライラミネート接着剤によりドライラミネートするコート層接着工程と、
前記紙層上にインキにより印刷層を印刷するとともに前記コート層上に剥離ニスにより剥離層を印刷する印刷工程と、
透明フィルムから成る前記下層部と前記剥離層とをドライラミネート接着剤によりドライラミネートする下層部接着工程と、
前記下層部を下面上から切断して前記切断線を形成する切断工程と、
を備えたことを特徴としている。
【００１７】
また本発明は上記構成の湯切り孔付き蓋材の製造方法において、前記印刷工程時に前記剥離ニスの非形成領域を前記湯切り孔内に設けたことを特徴としている。
【発明の効果】
【００１８】
本発明によると、下層部が透明フィルムにより形成されるため湯切り時に下層部を介して残湯量を視認することができる。これにより、使用者が湯切り終了時期を把握できるため待ち時間のストレスを軽減され、湯切り時の利便性を向上することができる。
【００１９】
また、紙層の下面に設けた樹脂フィルムのコート層上に剥離層を配して上層部が形成され、下層部と剥離層とがドライラミネート接着剤の第２接着層により接着される。コート層により上層部の下面が平滑に形成されるため第２接着層の厚みが均一化され、上層部と下層部との接着強度を安定させることができる。加えて、従来例のように上層部と下層部とを押出し樹脂で接着した際の熱による樹脂フィルムのカールを防止することができ、湯切り孔付き蓋材の工数を削減することができる。
【図面の簡単な説明】
【００２０】
【図１】本発明の第１実施形態の包装容器を示す斜視図
【図２】本発明の第１実施形態の包装容器を示す縦断面図
【図３】本発明の第１実施形態の包装容器を示す上面図
【図４】本発明の第１実施形態の包装容器の湯切り孔付き蓋材の層構成を示す断面図
【図５】本発明の第１実施形態の包装容器の湯切り孔付き蓋材を剥離した状態を示す斜視図
【図６】本発明の第１実施形態の包装容器の湯切り時の状態を示す斜視図
【図７】本発明の第２実施形態の包装容器の湯切り孔付き蓋材の層構成を示す断面図
【図８】本発明の第３実施形態の包装容器を示す上面図
【図９】本発明の第３実施形態の包装容器の湯切り孔付き蓋材の層構成を示す断面図
【発明を実施するための形態】
【００２１】
＜第１実施形態＞
以下に図面を参照して本発明の実施形態を説明する。図１、図２は第１実施形態の包装容器１の斜視図及び縦断面図を示している。包装容器１は容器本体１０及び湯切り孔付き蓋材２０（以下、「蓋材２０」という）を備えている。容器本体１０には注湯した後に湯切りされる即席焼きそば、即席スパゲティ等の内容物が収納される。
【００２２】
容器本体１０は発泡ポリスチレン樹脂等の樹脂成形品により、上面に円形の開口部１１を有した有底筒状に形成される。容器本体１０の上面の周部には開口部１１の周縁から水平方向に延びた円環状のフランジ１２が設けられる。
【００２３】
蓋材２０は剥離可能に積層される上層部３０及び下層部４０を備え、下層部４０に設けた熱接着性樹脂層４４（図４参照）によりフランジ１２上に熱接着される。蓋材２０にはフランジ１２から外方に突出する開封タブ２１及び湯切りタブ２２が設けられる。
【００２４】
図３は包装容器１の上面図を示している。蓋材２０の開封タブ２１は周方向の１箇所に突出して設けられる。湯切りタブ２２は開封タブ２１に対向して配置され、周方向の１箇所に突出して設けられる。
【００２５】
蓋材２０の湯切りタブ２２の近傍には下面から切り込まれたハーフカットにより切断線２５及び切断線２６が設けられる。切断線２６はフランジ１２の外縁に沿って設けられ、湯切りタブ２２から蓋材２０を引き剥がした際に上層部３０を下層部４０から剥離させる。切断線２５はフランジ１２よりも内側に配され、湯切りタブ２２から上層部３０を引き剥がした際に湯切り孔２４を形成する。
【００２６】
図４は蓋材２０の層構成を示す断面図である。蓋材２０の上層部３０は上面から順に保護層３１、接着層３２、紙層３４、接着層３５、コート層３６、剥離層３８を積層して形成される。下層部４０は上面から順に接着層４１、熱接着性樹脂層４４を積層して形成される。
【００２７】
蓋材２０の下面から切り込まれた切断線２５及び切断線２６は、下層部４０及びコート層３６を貫通して上端を紙層３４内に配される。
【００２８】
保護層３１はポリエチレンテレフタレート、延伸ナイロン等の樹脂フィルムにより形成される。保護層３１を例えば、厚み１２μｍの延伸ポリエチレンテレフタレートフィルムにより形成することができる。
【００２９】
紙層３４は片アート紙、純白ロール紙等から成り、紙層３４の上面にはインキにより図柄等を印刷した印刷層３３が設けられる。例えば紙層３４として、坪量７９．１ｇ／ｍ2の純白ロール紙が用いられる。保護層３１と紙層３４とはウレタン系、アクリル系等のドライラミネート接着剤から成る接着層３２を介して接着される。保護層３１によって印刷層３３を含む紙層３４の上面が保護される。
【００３０】
コート層３６はポリエチレンテレフタレート、延伸ナイロン等の樹脂フィルムにより形成される。コート層３６を例えば、厚み１２μｍの延伸ポリエチレンテレフタレートフィルムにより形成することができる。尚、コート層３６は後述する剥離ニスの印刷適正や蒸着膜の蒸着適正を考慮し、下面（剥離層３８側）の濡れ指数が４０ｍＮ／ｍ以上の延伸フィルムを用いるとより望ましい。
【００３１】
紙層３４とコート層３６とはウレタン系、アクリル系等のドライラミネート接着剤から成る接着層３５（第１接着層）を介して接着される。コート層３６によって上層部３０の下面が平滑化される。
【００３２】
尚、コート層３６を金属（アルミニウム等）または酸化物（酸化アルミニウム、酸化ケイ素等）の蒸着膜を有した樹脂フィルムにより形成してもよい。これにより、酸素、水蒸気等に対する蓋材２０のバリア性を向上することができる。
【００３３】
剥離層３８はコート層３６上の湯切り孔２４を形成する切断線２５の外側に剥離ニスを印刷して形成される。剥離ニスとして、シリコン、低分子量ポリエチレンワックス、リン酸エステル等を添加した樹脂系ニス（例えば、ウレタン系、アクリル系、硝化綿系、ポリアミド系等）を使用することができる。切断線２５の内側は剥離ニスの非形成領域になっている。
【００３４】
下層部４０の熱接着性樹脂層４４はオレフィン系樹脂等を含有して易剥離性を有したイージーピールフィルムにより形成される。熱接着性樹脂層４４は容器本体１０に適したイージーピールフィルムであれば特に限定されないが、例えばエチレン−酢酸ビニル共重合体を含有した厚み３０μｍの無延伸ポリプロピレンフィルムが用いられる。
【００３５】
接着層４１（第２接着層）はウレタン系、アクリル系等のドライラミネート接着剤から成っている。接着層４１を介して熱接着性樹脂層４４が剥離層３８に接着される。また、切断線２５内の剥離ニスの非形成領域では接着層４１を介して熱接着性樹脂層４４がコート層３６に接着される。この時、コート層３６の濡れ指数が４０ｍＮ／ｍ以上であると接着剤の濡れ性が良好なため、切断線２５の内側のコート層３６が接着層４１を介して高い接着強度で下層部４０に接着される。
【００３６】
剥離ニスにより形成される剥離層３８はドライラミネート接着剤との接着力が小さいため、蓋材２０は剥離層３８と接着層４１との間で剥離可能に積層される。このため、蓋材２０の上層部３０に剥離層３８が含まれ、下層部４０に接着層４１が含まれる。この時、下層部４０は接着層４１及び熱接着性樹脂層４４を積層した透明フィルムにより形成される。
【００３７】
蓋材２０はコート層接着工程、印刷工程、保護層接着工程、下層部接着工程、切断工程を順に行う製造工程によって形成される。コート層接着工程では紙製の紙層３４の一面にドライラミネート接着剤を塗布し、樹脂フィルムのコート層３６をドライラミネートする。
【００３８】
印刷工程ではグラビア印刷等により紙層３４の上面及びコート層３６の下面に両面印刷を行う。これにより、紙層３４にインキにより図柄を印刷して印刷層３３が形成される。また、コート層３６の下面に剥離ニスを印刷して剥離層３８が形成される。両面印刷によって印刷層３３及び剥離層３８が形成されるため、これらの相対位置の位置ずれを防止することができる。
【００３９】
保護層接着工程では紙層３４の上面にドライラミネート接着剤を塗布し、樹脂フィルムの保護層３１をドライラミネートする。これにより、上層部３０が形成される。
【００４０】
下層部接着工程では上層部３０の剥離層３８の下面にドライラミネート接着剤を塗布し、樹脂フィルムの熱接着性樹脂層４４をドライラミネートする。これにより、上層部３０と下層部４０とが積層される。この時、コート層３６により紙層３４の凹凸を平滑化して上層部３０の下面が平滑に形成されるため、接着層４１の厚みが均一化される。このため、上層部３０と下層部４０との接着強度を安定させることができる。尚、剥離層３８と接着層４１との間の接着強度（剥離強度）は剥離ニスの種類、塗布量、塗布形状（網点等）等により適正に制御することができる。
【００４１】
また、コート層接着工程、保護層接着工程及び下層部接着工程において押出し樹脂により各層を積層すると、押出し樹脂の熱により樹脂フィルムのカールが生じ易くなる。このため、カールを修正して積層が行われ、蓋材２０の工数が大きくなる。本実施形態ではコート層接着工程、保護層接着工程及び下層部接着工程をドライラミネートにより行うため、樹脂フィルムのカールを防止して蓋材２０の工数を削減することができる。
【００４２】
切断工程では切刃によって蓋材２０を下面からハーフカットし、切断線２５及び切断線２６を形成する。これにより、蓋材２０が形成される。この時、切断線２５、２６の上端が紙層３４内に配されるため、下面に滴下される検査用のチェック液が紙層３４に含浸される。このため、切断線２５、２６が剥離層３８を貫通したか否かを上面から容易に検査することができる。
【００４３】
上記構成の包装容器１において、図５に示すように使用者により開封タブ２１から蓋材２０がフランジ１２に対して剥離される。これにより、開口部１１の一部から成る注湯口１１ａが露出する。
【００４４】
次に、必要に応じてソースや具材等を収納する包装袋（不図示）が注湯口１１ａを介して容器本体１０から取り出される。具材等が容器本体１０内に投入されると注湯口１１ａから容器本体１０内に熱湯が注湯され、開封タブ２１をフランジ１２に掛けて蓋材２０が再度閉じられる。これにより、蓋材２０が閉じられた状態を保持して即席焼きそば等の蒸らし調理が行われる。
【００４５】
所定時間が経過して調理が完了すると、使用者により湯切りタブ２２が引かれる。これにより、蓋材２０の切断線２６よりも内側で下層部４０がフランジ１２に接着された状態で上層部３０が剥離する。また、切断線２５の内部の下層部４０が上層部３０とともに取り除かれ、湯切り孔２４が開口する。
【００４６】
これにより、図６に示すように湯切り孔２４を介して容器本体１０の湯切りが行われる。この時、下層部４０が透明フィルムにより形成されるため、使用者は湯の水面Ｄにより残湯量を視認することができる。このため、使用者が湯切りの終了時期を把握することができ、湯切り終了までの待ち時間のストレスが軽減される。
【００４７】
湯切りが終了すると開封タブ２１から蓋材２０の全体が剥離され、容器本体１０内にソース等を投入して内容物を喫食することができる。
【００４８】
本実施形態によると、下層部４０が透明フィルムにより形成されるため湯切り時の残湯量を視認することができる。これにより、使用者が湯切り終了時期を把握できるため待ち時間のストレスが軽減され、湯切り時の利便性を向上することができる。
【００４９】
また、紙層３４の下面に設けた樹脂フィルムのコート層３６上に剥離層３８を配して上層部３０が形成される。下層部４０と剥離層３８とはドライラミネート接着剤の接着層４１（第２接着層）により接着される。コート層３６により上層部３０の下面が平滑に形成されるため接着層４１の厚みが均一化され、上層部３０と下層部４０との接着強度を安定させることができる。加えて、上層部３０と下層部４０とを押出し樹脂で接着した際の熱による樹脂フィルムのカールを防止することができ、蓋材２０の工数を削減することができる。
【００５０】
また、剥離ニスの非形成領域が切断線２５の外側にずれて形成された場合等に、コート層３６が設けられないと上層部３０の剥離によって下層部４０上に紙層３４の一部が残留する紙剥けを生じる。このため、コート層３６を設けることにより、紙層３４の紙剥けを防止することができる。
【００５１】
また、切断線２５がコート層３６を貫通して切断線２５の上端が紙層３４内に配されるので、切断線２５が剥離層３８を貫通したか否かをチェック液により容易に検査することができる。
【００５２】
また、湯切り孔２４内に剥離ニスの非形成領域を設けたので、切断線２５の内側の下層部４０を上層部３０に固着させることができる。これにより、湯切り孔２４を確実に形成することができる。
【００５３】
また、コート層接着工程及び下層部接着工程がドライラミネートにより行われるため、各層のカールを防止して蓋材２０の工数を削減することができる。また、印刷工程で両面印刷により印刷層３３及び剥離層３８を形成できるため、印刷層３３及び剥離層３８の相対位置の位置ずれを防止することができる。
【００５４】
＜第２実施形態＞
次に、図７は第２実施形態の包装容器１の蓋材２０の層構成を示す断面図である。説明の便宜上、前述の図１〜図６に示す第１実施形態と同様の部分には同一の符号を付している。本実施形態は下層部４０に中間層４２が設けられる。その他の部分は第１実施形態と同様である。
【００５５】
中間層４２はポリエチレンテレフタレート、延伸ナイロン等の透明な樹脂フィルムにより形成される。中間層４２を例えば、厚み１２μｍの延伸ポリエチレンテレフタレートフィルムにより形成することができる。
【００５６】
熱接着性樹脂層４４は中間層４２の下面にウレタン系、アクリル系等のドライラミネート接着剤から成る接着層４３（第３接着層）を介して接着される。中間層４２の上面は第１実施形態と同様の接着層４１を介して剥離層３８に接着される。
【００５７】
これにより、下層部４０は接着層４１、中間層４２、接着層４３及び熱接着性樹脂層４４を積層した透明フィルムにより形成される。中間層４２により下層部４０が補強され、湯切り時に麺等の内容物及び湯の重量による下層部４０の伸びを防止することができる。
【００５８】
蓋材２０の製造工程において、下層部接着工程は中間層接着工程及び熱接着性樹脂層接着工程を有している。印刷工程後、中間層接着工程では上層部３０の剥離層３８の下面にドライラミネート接着剤を塗布し、樹脂フィルムの中間層４２をドライラミネートする。次に、熱接着性樹脂層接着工程では中間層４２の下面にドライラミネート接着剤を塗布し、樹脂フィルムの熱接着性樹脂層４４をドライラミネートする。
【００５９】
尚、中間層４２は透明な部分があれば部分的に印刷を施されていてもよい。また、中間層４２と熱接着性樹脂層４４とをドライラミネートした後、接着層４１により下層部４０を上層部３０にドライラミネートしてもよい。
【００６０】
本実施形態によると、第１実施形態と同様に下層部４０が透明フィルムにより形成されるため湯切り時の残湯量を視認することができる。また、下層部４０と剥離層３８とはドライラミネート接着剤の接着層４１により接着される。このため、上層部３０と下層部４０との接着強度を安定させることができるとともに、樹脂フィルムのカールを防止して蓋材２０の工数を削減することができる。
【００６１】
また、中間層４２により下層部４０が補強され、湯切り時に内容物及び湯の重量による下層部４０の伸びを防止することができる。
【００６２】
＜第３実施形態＞
次に、図８は第３実施形態の包装容器１の上面図を示している。説明の便宜上、前述の図１〜図６に示す第１実施形態と同様の部分には同一の符号を付している。本実施形態は湯切り時に上層部３０が切取り可能に形成される。その他の部分は第１実施形態と同様である。
【００６３】
蓋材２０には上面から切り込まれたハーフカットにより切断線２７が設けられる。湯切り孔２４は湯切りタブ２２と切断線２７との間に配される。
【００６４】
図９は蓋材２０の層構成を示す断面図である。蓋材２０の上面から切り込まれた切断線２７は上層部３０を貫通する。これにより、湯切り時に湯切りタブ２２から引き剥がされた上層部３０は切断線２７上で切り取られる。
【００６５】
本実施形態によると、第１実施形態と同様の効果を得ることができる。第２実施形態の蓋材２０についても同様の切断線２７を設けてもよい。
【産業上の利用可能性】
【００６６】
本発明によると、即席焼きそば等の湯切りを行う包装容器に利用することができる。
【符号の説明】
【００６７】
１      包装容器
１０      容器本体
１１      開口部
１１ａ    注湯口
１２      フランジ
２０      蓋材
２１      開封タブ
２２      湯切りタブ
２４      湯切り孔
２５、２６、２７  切断線
３０      上層部
３１      保護層
３２      接着層
３３      印刷層
３４      紙層
３５      接着層（第１接着層）
３６      コート層
３８      剥離層
４０      下層部
４１      接着層（第２接着層）
４２      中間層
４３      接着層（第３接着層）
４４      熱接着性樹脂層
Ｄ      水面
【図１】
2019182492.tif 000003
【図２】
2019182492.tif 000004
【図３】
2019182492.tif 000005
【図４】
2019182492.tif 000006
【図５】
2019182492.tif 000007
【図６】
2019182492.tif 000008
【図７】
2019182492.tif 000009
【図８】
2019182492.tif 000010
【図９】
2019182492.tif 000011